(57)【要約】【課題】駐車装置が設置されているビルの壁面を撤去することなく、シャッタをパネルドアに変更し得るようにした駐車装置におけるパネルドアの設置方法を提供する。【解決手段】垂直循環式駐車装置２における車両の出入り口５に昇降可能に設置されているシャッタを、車両の出入り口５が設けられた前壁４を残存したまま、分解、撤去し、シャッタが撤去された出入り口５に水平方向へ移動させることにより開閉可能な複数のパネルドア本体８を設置する。【選択図】図３
2008297879.tif 000002
【特許請求の範囲】
【請求項１】
駐車装置における車両の出入り口に昇降可能に設置されているシャッタを、車両の出入り口が設けられた前壁を残存したまま、分解、撤去する工程と、シャッタが撤去された出入り口に水平方向又は上下方向へ移動させることにより開閉可能なパネルドア本体を設ける工程を経ることを特徴とする駐車装置におけるパネルドアの設置方法。
【発明の詳細な説明】
【技術分野】
【０００１】
本発明は、駐車装置におけるパネルドアの設置方法に関するものである。
【背景技術】
【０００２】
垂直循環式駐車装置等の機械式駐車装置では、以前は、駐車装置建屋の車両入出庫用の出入り口に、巻取り巻戻すことにより昇降させて開閉するシャッタを設け、駐車上の営業開始時にはシャッタを巻上げて出入り口を開放し、営業終了時にはシャッタを巻戻し降ろして出入り口を閉鎖していた。
【０００３】
従って、駐車場の営業中は、車両の出入り口は常に開口している状態にあったため、車両を載置した駐車装置のパレットの昇降は常時操作員が周囲の状況を注意しながら行なっていた。
【０００４】
しかし、駐車装置を営業用から、テナント用、月極め用にする場合、安全上車両の入出庫ごとに、出入り口を開閉することが要求されている。而して、斯かる要求に対応するにはその構造上、シャッタでは不十分であり、このため、迅速且つ長期間開閉できるパネルドアに変更する必要がある。
【０００５】
駐車装置の車両入出庫用の出入り口に設けるシャッタやパネルドアに関する公報類は検索した範囲では見あたらないが、駐車装置の車両入出庫用の出入り口に設けるシャッタ類似のものとして特許文献１がある。
【特許文献１】特開２００３−８２８７９号公報
【発明の開示】
【発明が解決しようとする課題】
【０００６】
駐車装置のシャッタをパネルドアに改造する場合には、駐車装置のシャッタを撤去すると共に駐車装置が設置されていたビルの壁面をパネルドアに適合するように改修し、しかる後、パネルドアを取り付けることが行なわれていた。
【０００７】
しかし、このやり方では、駐車装置が設置されていたビルの壁面が耐震壁の場合、これを撤去するとビルの耐震上問題があり、シャッタをパネルドアに交換するのは困難である。又、特許文献１に示すものはシャッタとは違う。
【０００８】
本発明は、上述の実情に鑑み、駐車装置が設置されているビルの壁面を改修することなく、シャッタをパネルドアに変更し得るようにした駐車装置におけるパネルドアの設置方法を提供することを目的としてなしたものである。
【課題を解決するための手段】
【０００９】
本発明の駐車装置におけるパネルドアの設置方法は、駐車装置における車両の出入り口に昇降可能に設置されているシャッタを、車両の出入り口が設けられた前壁を残存したまま、分解、撤去する工程と、シャッタが撤去された出入り口に水平方向又は上下方向へ移動させることにより開閉可能なパネルドア本体を設ける工程を経るものである。
【発明の効果】
【００１０】
本発明の駐車装置におけるパネルドアの設置方法によれば、車両の出入り口が設けられている前壁を撤去する必要がないため、前壁が耐震壁の場合でも、前壁を改造することなく、又、駐車装置自体を改造することなく、容易にシャッタをパネルドアに交換することができるため、改修を安価に行なうことができ、又、車両が駐車装置に入出庫する際に、入出庫ごとにパネルドアの開閉を容易且つ迅速に行なうことができ、安全性が向上する、等種々の優れた効果を奏し得る。
【発明を実施するための最良の形態】
【００１１】
以下、本発明の実施の形態を添付図面を参照して説明する。
図１〜図４は本発明を実施する形態の一例である。図１、図２はシャッタを設置された改修前の駐車装置の車両の出入り口近傍図を示し、１は例えば垂直循環式駐車装置２が設置されたビル、３はビル１の側壁、４はビル１の前壁、５はビル１の前壁４に形成された車両入出庫用の出入り口、６は出入り口５を開放若しくは閉止し得るよう適宜の駆動装置により上下方向へ巻取り、巻戻しし得るようにしたシャッタ、７は前壁４に取付けた操作盤等である。
【００１２】
図３、図４はシャッタを撤去してパネルドアを取付けた改修後の駐車装置の車両の出入り口近傍図を示し、８は出入り口５の前面に配置した複数のパネルドア本体、９はパネルドア本体８の開方向一側に配置されるよう、前壁４の前面に取付けた、例えば鋼板製のパネルドア収納部、１０はパネルドア本体８のパネルドア収納部９とは反対側に取付けられて前壁４の前面に設置した、前壁４用のカバーである。パネルドア本体８は３枚のパネル状で、本図示例では左方向へ移動させることにより開き、右方向へ移動させることにより閉止し得るようにしているが、両開きとしても良い。又、上下方向へ移動させることにより開閉するようにしても良い。
【００１３】
図１、図２に示すシャッタ６を図３、図４に示すパネルドア本体８に交換する場合は、先ず、シャッタ６を解体して撤去し、前壁４はそのままの状態で、出入り口５の床面のシャッタ６の位置よりも若干外側（前壁４の前方）に所定長さ且つ所定数のレールを敷設すると共に、開口部の上縁側にも同様にレールを敷設して、該レールにパネルドア本体８を開閉自在にセットし、パネルドア本体８を開閉するための図示してない駆動装置、チェーン等を所定位置に取付ける。又、前壁４前面の操作盤等も撤去し、パネルドア収納部９、カバー１０も所定の段階で前壁４の前面に取付ける。カバー１０には操作盤等７を取付ける。又、パネルドア本体８、パネルドア収納部９、カバー１０の上部には、外開き可能な蓋を有するボックス１１を配置する。
【００１４】
このように、シャッタ６に替えてパネルドア本体８を取付ける際に、ビル１の前壁４を撤去する必要がないため、前壁４が耐震壁の場合でも、前壁４を改造することなく、又、垂直循環式駐車装置２自体を改造することなく、容易にシャッタ６をパネルドア本体８に交換することができる。従って、改修を安価に行なうことができる。更に、パネルドア本体８を開いてパネルドア収納部９へ収納する際に、パネルドア本体８は前壁４の前面を移動するため、前壁４がパネルドア本体８の開閉に支障が生じることはない。
【００１５】
又、車両を駐車装置に入出庫する際に、入出庫ごとのパネルドア本体８の開閉をシャッタ６よりも容易且つ迅速に行なうことができ、安全性が向上する。
【００１６】
更には、ボックス１１の蓋を外開きすることにより、装置内部に入らなくても、外部よりチェーン等の点検を安全に行なうことができる。
【００１７】
なお、本発明の駐車装置におけるパネルドア装置の設置方法においては、駐車装置はビルに組み付ける型の駐車装置のみならず、自立型の駐車装置にも適用することができること、その他、本発明の要旨を逸脱しない範囲内において種々変更を加え得ることは勿論である。
【図面の簡単な説明】
【００１８】
【図１】本発明の駐車装置におけるパネルドアの設置方法において、まだパネルドアを設置する前の、シャッタが取付けてある場合の駐車装置の車両の出入り口近辺の平面断面図である。
【図２】図１のＩＩ−ＩＩ方向矢視図である。
【図３】本発明の駐車装置におけるパネルドアの設置方法において、パネルドアを設置した状態を示す、駐車装置の車両の出入り口近辺の平面断面図である。
【図４】図３のＩＶ−ＩＶ方向矢視図である。
【符号の説明】
【００１９】
２  垂直循環式駐車装置（駐車装置）
４  前壁
５  出入り口
６  シャッタ
８  パネルドア本体
【図１】
2008297879.tif 000003
【図２】
2008297879.tif 000004
【図３】
2008297879.tif 000005
【図４】
2008297879.tif 000006